(57)【要約】  乳房画像の読影レポートをユーザにとって見易くする。  レポート生成装置の制御部によって表示部に表示されるレポート生成画面（読影レポート作成画面）１３１において、この画面の中央領域に読影対象となる左右の乳房画像（レポート添付画像ｄ１〜ｄ４）が左右対称に並べて配置される。また、レポート添付画像ｄ１〜ｄ４に隣接する領域（レポート添付画像ｄ１、ｄ２の領域を除いた右乳房レポート記述領域Ｔ４、レポート添付画像ｄ３、ｄ４の領域を除いた左乳房レポート記述領域Ｔ５）のそれぞれが、各乳房画像に対応する読影レポート（部分レポート）を記述するための記述領域となる。
2010110017.tif 000002
【特許請求の範囲】
【請求項１】
表示手段と、
表示画面の中央領域に読影対象となる左右の乳房画像が左右対称に並べて配置され、かつ前記各乳房画像に隣接する領域のそれぞれに各乳房画像に対応する読影レポートを記述するための記述領域が配置された読影レポート作成画面を前記表示手段に表示させる制御手段と、
を備える読影レポート作成支援装置。
【請求項２】
前記乳房画像はシェーマ画像である、
請求の範囲第１項に記載の読影レポート作成支援装置。
【請求項３】
前記乳房画像はレポート添付画像である、
請求の範囲第１項に記載の読影レポート作成支援装置。
【請求項４】
読影レポートの情報を入力する入力手段を更に備え、
前記制御手段は、前記入力手段から入力される情報に基づいて、前記表示手段を制御して前記記述領域に前記読影レポートを表示させる、
請求の範囲第１〜第３項の何れか一項に記載の読影レポート作成支援装置。
【請求項５】
前記入力手段は、読影レポートの情報を手書き入力し、
前記制御手段は、前記表示手段を制御して前記記述領域に前記読影レポートを手書き表示させる、
請求の範囲第４項に記載の読影レポート作成支援装置。
【請求項６】
前記入力手段は、読影レポートの情報をテキスト入力し、
前記制御手段は、前記表示手段を制御して前記記述領域に前記読影レポートをテキスト表示させる、
請求の範囲第４項に記載の読影レポート作成支援装置。
【請求項７】
コンピュータを、
表示手段、
表示画面の中央領域に読影対象となる左右の乳房画像が左右対称に並べて配置され、かつ前記各乳房画像に隣接する領域のそれぞれに各乳房画像に対応する読影レポートを記述するための記述領域が配置された読影レポート作成画面を前記表示手段に表示させる制御手段、
として機能させるためのプログラム。
【発明の詳細な説明】
【技術分野】
【０００１】
本発明は、読影レポート作成支援装置及びプログラムに関する。
【背景技術】
【０００２】
病院や診療所等の医療施設では、乳房撮影装置（モダリティ）等を用いて患者の乳房の撮影が行われ、乳房画像（乳房画像データ）が生成される。読影医は、生成された乳房画像を読影画面に表示させ、レポート生成画面（読影レポート作成画面）上でこの乳房画像に対する読影レポートを作成する。【０００３】
例えば、読影レポートを作成するためのシステムとして、画像生成装置で生成された画像データに対して所定の画像解析を行い、追加撮影等の必要性およびその種類を客観的に判断する追加撮影判断部が組み込まれた画像品質検査用端末を含んだ医用画像処理システムが開示されている（特開２００６−５１１９８号公報参照）。
【先行技術文献】
【特許文献】
【０００４】
【特許文献１】特開２００６−５１１９８号公報
【発明の概要】
【発明が解決しようとする課題】
【０００５】
ところで、レポート生成画面には、読影画面上に表示された乳房画像が添付画像として表示される。また、乳房画像の読影レポートでは、乳房画像における病変の位置と、その病変に対する所見（読影レポート）とを対応させる必要がある。【０００６】
しかし、従来の乳房画像の読影レポートは、乳房画像が画面下部等に小さく表示され、病変の位置が分かり辛く、読影レポートを参照（閲覧）する医師（ユーザ）にとって不便であった。【０００７】
本発明は、上述した課題に鑑みて為されたものであり、その目的とするところは、乳房画像の読影レポートをユーザにとって見易くすることである。
【課題を解決するための手段】
【０００８】
上記の課題を解決するために、請求の範囲第１項に記載の読影レポート作成支援装置は、
表示手段と、
表示画面の中央領域に読影対象となる左右の乳房画像が左右対称に並べて配置され、かつ前記各乳房画像に隣接する領域のそれぞれに各乳房画像に対応する読影レポートを記述するための記述領域が配置された読影レポート作成画面を前記表示手段に表示させる制御手段と、
を備える。【０００９】
請求の範囲第２項に記載の発明は、請求の範囲第１項に記載の発明において、
前記乳房画像はシェーマ画像である。【００１０】
請求の範囲第３項に記載の発明は、請求の範囲第１項に記載の発明において、
前記乳房画像はレポート添付画像である。【００１１】
請求の範囲第４項に記載の発明は、請求の範囲第１項〜第３項の何れか一項に記載の発明において、
読影レポートの情報を入力する入力手段を更に備え、
前記制御手段は、前記入力手段から入力される情報に基づいて、前記表示手段を制御して前記記述領域に前記読影レポートを表示させる。【００１２】
請求の範囲第５項に記載の発明は、請求の範囲第４項に記載の発明において、
前記入力手段は、読影レポートの情報を手書き入力し、
前記制御手段は、前記表示手段を制御して前記記述領域に前記読影レポートを手書き表示させる。【００１３】
請求の範囲第６項に記載の発明は、請求の範囲第４項に記載の発明において、
前記入力手段は、読影レポートの情報をテキスト入力し、
前記制御手段は、前記表示手段を制御して前記記述領域に前記読影レポートをテキスト表示させる。【００１４】
請求の範囲第７項に記載のプログラムは、
コンピュータを、
表示手段、
表示画面の中央領域に読影対象となる左右の乳房画像が左右対称に並べて配置され、かつ前記各乳房画像に隣接する領域のそれぞれに各乳房画像に対応する読影レポートを記述するための記述領域が配置された読影レポート作成画面を前記表示手段に表示させる制御手段、
として機能させる。
【発明の効果】
【００１５】
請求の範囲第１項及び第７項に記載の発明によれば、読影レポート作成画面の中央領域に読影対象となる左右の乳房画像が左右対称に並べて配置される。また、各乳房画像に対応する読影レポートを記述するための記述領域が、各乳房画像に隣接して配置される。【００１６】
そのため、乳房画像の読影レポートがユーザにとって見易くなる。【００１７】
請求の範囲第２項に記載の発明によれば、シェーマ画像が添付された読影レポートをユーザが参照することができる。よって、乳房画像の読影レポートがユーザにとって更に見易くなる。【００１８】
請求の範囲第３項に記載の発明によれば、レポート添付画像が添付された読影レポートをユーザが参照することができる。よって、乳房画像の読影レポートがユーザにとって更に見易くなる。【００１９】
請求の範囲第４項に記載の発明によれば、乳房画像の読影レポートを生成する際の利便性が向上する。【００２０】
請求の範囲第５項に記載の発明によれば、乳房画像の読影レポートを生成する際の利便性が更に向上する。また、乳房画像の読影レポートがユーザにとって更に見易くなる。【００２１】
請求の範囲第６項に記載の発明によれば、乳房画像の読影レポートを生成する際の利便性が更に向上する。また、乳房画像の読影レポートがユーザにとって更に見易くなる。
【図面の簡単な説明】
【００２２】
【図１】放射線科システムのシステム構成の一例を示すシステム構成図である。
【図２】乳房画像データオブジェクトのデータ構成図である。
【図３】画像ビューワ端末のブロック図である。
【図４】レポート生成管理装置のブロック図である。
【図５】マンモグラム検査における読影レポートと医用画像の関係を示すイメージ図である。
【図６】マンモグラム検査における読影レポートのデータモデル図である。
【図７】読影レポートデータオブジェクトのデータ構成図である。
【図８】レポート生成管理装置や画像ビューワ端末が行う具体的な動作を示すフローチャート図である。
【図９】レポート生成画面の画面例である。
【図１０】レポート生成画面の画面例である。
【発明を実施するための形態】
【００２３】
以下、本発明の読影レポート作成支援装置を図１のレポート生成管理装置１０に適用した場合の実施形態について図１〜図９を参照して説明する。
【００２４】
[放射線科システムのシステム構成]
先ず、レポート生成管理装置１０を有する放射線科システム１００の概要について図１を用いて説明する。
【００２５】
図１は、放射線科システム１００のシステム構成の一例を示すブロック図である。図１によれば、放射線科システム１００は、レポート生成管理装置１０と、モダリティ２０と、画像ビューワ端末３０と、ＰＡＣＳ４０と、から構成されている。上記の各装置はＬＡＮ（Local Area Network）等の通信ネットワークＮを介してデータ通信可能に接続されている。
【００２６】
モダリティ２０は、患者の乳房を撮影し、撮影画像（乳房画像）の画像データ（実画像データ）を生成する乳房撮影装置である。以下、乳房撮影装置による検査をマンモグラム検査と称す。
【００２７】
モダリティ２０は、図示しないＲＩＳ（放射線情報システム）からオーダ情報を受信する。ＲＩＳとは、放射線科システム１００内の情報を統括的に管理するシステムである。オーダ情報とは、撮影や診断の検査オーダの内容を示すデータである。
【００２８】
モダリティ２０は、ＲＩＳから受信した検査オーダ情報に基づいて、生成した乳房画像の実画像データに関する各種情報（患者情報、検査情報及びシリーズ情報等）を有する付帯情報を生成する。そして、モダリティ２０は、実画像データに付帯情報を付帯させ、ＤＩＣＯＭ規格に則った乳房画像データを生成する。モダリティ２０は、生成した乳房画像データをＰＡＣＳ４０に送信する。
【００２９】
図２に、乳房画像１枚分に相当する乳房画像データ（以下、乳房画像データオブジェクトと称す）のデータ構成を示す。乳房画像データオブジェクトは、前述の通り、乳房画像１枚分に相当する実画像データと当該実画像データに関する付帯情報とから成る。付帯情報は、患者情報、検査情報及びシリーズ情報等を含む。また、検査情報は、「撮影部位」、「撮影方向」、「画像側性」の項目を含む。
【００３０】
図１に戻り、ＰＡＣＳ４０は、モダリティ２０において生成された乳房画像データを保存管理し、検索やデータ解析を行うデータベースシステムである。ＰＡＣＳ４０は、制御部や記憶部、通信部等を備えて構成され、モダリティ２０から受信した乳房画像データに含まれる付帯情報に基づいて当該乳房画像データを、例えば、リレーショナルデータベースに蓄積記憶していく。そして、ＰＡＣＳ４０は、読影医等の操作指示に応じて指定された患者ＩＤや検査ＩＤ等を検索キーとして乳房画像データを検索し、画像ビューワ端末３０や図示しないイメージャに出力する。また、ＰＡＣＳ４０は、患者ＩＤや検査ＩＤ等の検索キーを含む乳房画像データ取得要求を外部機器から受信すると、この取得要求に応じた乳房画像データを検索して外部機器に提供（送信）する。
【００３１】
画像ビューワ端末３０は、乳房画像データを表示するビューワ機能を有しており、読影医等の読影に供する端末である。画像ビューワ端末３０は、乳房画像データ取得要求をＰＡＣＳ４０に送信し、ＰＡＣＳ４０から取得要求に応じた乳房画像データを取得する。そして、画像ビューワ端末３０は、取得した乳房画像データを表示する。画像ビューワ端末３０は、取得した乳房画像データをレポート生成管理装置１０に送信する。
【００３２】
レポート生成管理装置１０は、乳房画像データの読影レポートを生成するレポート生成機能と、生成した読影レポートを管理するレポート管理機能と、を有している。レポート生成管理装置１０は、画像ビューワ端末３０から受信した乳房画像データに基づいて、レポート生成画面（読影レポート作成画面）１３１を表示する。レポート生成管理装置１０は、読影医等の操作指示に基づいて、読影レポート（読影レポートデータ）を生成する。レポート生成管理装置１０は、生成した読影レポートを保存し管理する。
【００３３】
[画像ビューワ端末の機能的構成]
図３に、画像ビューワ端末３０の機能的構成を示す。
【００３４】
図３に示すように、画像ビューワ端末３０は、制御部３１、操作部３２、表示部３３、通信部３４、記憶部３５を備えて構成され、各部はバス３６により接続されている。
【００３５】
制御部３１は、ＣＰＵ（Central Processing Unit）、ＲＡＭ（Random Access Memory）等から構成され、画像ビューワ端末３０の各部の処理動作を統括的に制御する。具体的には、ＣＰＵは、操作部３２から入力される操作信号又は通信部３４により受信される指示信号に応じて、記憶部３５に記憶されている各種処理プログラムを読み出し、ＲＡＭ内に形成されたワークエリアに展開し、当該プログラムとの協働により各種処理を行う。
【００３６】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００３７】
表示部３３は、高精細のＬＣＤ（Liquid Crystal Display）により構成され、制御部３１から入力される表示データに基づいて各種画面を表示する。
【００３８】
通信部３４は、ＬＡＮ（Local Area Network）アダプタ、ルータ、ＴＡ（Terminal Adapter）等を備え、通信ネットワークＮを介して接続されたレポート生成管理装置１０、ＰＡＣＳ４０等の外部機器との間でデータの送受信を行う。
【００３９】
記憶部３５は、ハードディスク等から構成され、制御プログラム、当該プログラムの実行に必要なパラメータやファイル等を記憶している。
【００４０】
制御部３１は、通信部３４を介してレポート生成管理装置１０から画像表示命令を受信すると、この表示命令に基づいて乳房画像データ取得要求を生成する。そして、制御部３１は、生成した乳房画像データ取得要求を通信部３４を介してＰＡＣＳ４０に送信する。
【００４１】
制御部３１は、通信部３４を介してＰＡＣＳ４０から乳房画像データ取得要求に応じた乳房画像データを取得すると、この乳房画像データをレポート生成管理装置１０に転送する。また、制御部３１は、取得した乳房画像データに基づいて、表示部３３に乳房画像や付帯情報を表示させる。
【００４２】
[レポート生成管理装置の機能的構成]
図４に、レポート生成管理装置１０の機能的構成を示す。
【００４３】
図４に示すように、レポート生成管理装置１０は、制御部１１、操作部１２、表示部１３、通信部１４、記憶部１５を備えて構成され、各部はバス１６により接続されている。
【００４４】
制御部１１は、ＣＰＵ、ＲＡＭ等から構成され、レポート生成管理装置１０の各部の処理動作を統括的に制御する。具体的には、ＣＰＵは、操作部１２から入力される操作信号又は通信部１４により受信される指示信号に応じて、記憶部１５に記憶されている各種処理プログラムを読み出し、ＲＡＭ内に形成されたワークエリアに展開し、当該プログラムとの協働により各種処理を行う。
【００４５】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００４６】
表示部１３は、ＬＣＤにより構成され、制御部１１から入力される表示データに基づいて各種画面を表示する。
【００４７】
通信部１４は、ＬＡＮアダプタ、ルータ、ＴＡ等を備え、通信ネットワークＮを介して接続された画像ビューワ端末３０等の外部機器との間でデータの送受信を行う。
【００４８】
記憶部１５は、ハードディスク等から構成され、制御プログラム、当該プログラムの実行に必要なパラメータやファイル等を記憶している。記憶部１５は、レポートＤＢ１５１を記憶する。レポートＤＢ１５１とは、読影レポートデータを記憶管理するデータベースである。
【００４９】
制御部１１は、通信部１４を介して画像ビューワ端末３０から乳房画像データを取得すると、この乳房画像データに基づいて、レポート添付画像を生成する。制御部１１は、レポート添付画像を貼り付けたレポート生成画面１３１を生成して表示部１３に表示させる。
【００５０】
そして、制御部１１は、レポート生成画面１３１上でのユーザ操作による操作部３２からの操作信号等に基づき、読影レポートデータを生成する。制御部１１は、生成した読影レポートデータを記憶部１５のレポートＤＢ１５１に記憶させて管理する。
【００５１】
図５に、マンモグラム検査における読影レポートと乳房画像の関係を示すイメージ図を示す。図５に示すように、マンモグラム検査は、右乳房検査と左乳房検査とで構成される。
【００５２】
右乳房検査では、ＭＬＯ（外斜位方向）で撮影された乳房画像（右乳房ＭＬＯ画像）と、ＣＣ（頭尾方向）で撮影された乳房画像（右乳房ＣＣ画像）とがモダリティ２０において生成される。また、右乳房ＭＬＯ画像と右乳房ＣＣ画像の読影レポート（右乳房レポート）が生成される。この右乳房レポートは、部分レポートである。部分レポートについては後述する。
【００５３】
左乳房検査でも同様に、ＭＬＯ（内外斜位方向）で撮影された乳房画像（左乳房ＭＬＯ画像）と、ＣＣ（頭尾方向）で撮影された乳房画像（左乳房ＣＣ画像）とがモダリティ２０において生成される。また、左乳房ＭＬＯ画像と左乳房ＣＣ画像の読影レポート（左乳房レポート）が生成される。この左乳房レポートは、部分レポートである。
【００５４】
また、マンモグラム検査では、右乳房レポートと左乳房レポートとを総合判定した読影レポート（総合レポート）が生成される。
【００５５】
図６に、マンモグラム検査における読影レポート（読影レポートデータ）のデータモデル図を示す。レポートＤＢ１５１では、このデータモデルに従って、検査、読影レポート、乳房画像等を関連付けている。図６に示すように、マンモグラム検査において、読影レポートは一検査毎に生成される。一検査分の読影レポートデータを読影レポートデータオブジェクトと称す。
【００５６】
前述のように、マンモグラム検査には、２つの部分検査が含まれる。具体的に、２つの部分検査とは、右乳房検査と左乳房検査である。各部分検査では、乳房画像２枚分の乳房画像データ、即ち、２つの乳房画像データオブジェクトが生成される。具体的に、一つは、モダリティ２０においてＭＬＯで撮影された乳房画像（右乳房ＭＬＯ画像、左乳房ＭＬＯ画像）に対応するデータ、もう一つは、ＣＣで撮影された乳房画像（右乳房ＣＣ画像、左乳房ＣＣ画像）に対応するデータである。
【００５７】
一検査分の読影レポートには、２つの部分レポートと１つの総合レポートとが含まれる。部分レポートとは、部分検査における読影レポートである。即ち、１検査分の読影レポートには、右乳房検査における読影レポート（右乳房レポート）と左乳房検査における読影レポート（左乳房レポート）とが含まれる。総合レポートとは、各部分検査を総合判定した読影レポート（総合レポート）である。即ち、一検査分の読影レポートには、右乳房検査と左乳房検査とを総合判定した読影レポートが含まれる。１つの部分検査の部分レポートのデータを部分レポートデータオブジェクトと称す。また、１つの総合レポートのデータを総合レポートデータオブジェクトと称す。
【００５８】
図７に、レポートＤＢ１５１に記憶管理されている読影レポートデータオブジェクトのデータ構成図を示す。図７に示すように、読影レポートデータオブジェクトは、１つの総合レポートデータオブジェクトと、２つの部分レポートデータオブジェクトとを含む。また、部分レポートデータオブジェクトには、部分判定情報が含まれる。総合レポートデータオブジェクトには、総合判定情報が含まれる。レポートＤＢ１５１には、一又は複数の読影レポートデータオブジェクトが記憶される。
【００５９】
[レポート生成管理装置等の具体的な動作]
次に、レポート生成管理装置１０や画像ビューワ端末３０が行う具体的な動作について、図８を用いて説明する。
【００６０】
ユーザは、レポート生成管理装置１０の操作部１２に対して、読影レポート生成（読影作業）を行う検査を選択する操作を行う。制御部１１は、操作部１２からの操作信号に基づいて、読影レポート生成の対象となる検査を選択する（ステップＳ１）。
【００６１】
そして、制御部１１は、ステップＳ１において選択された検査の検査ＩＤや、この検査対象となった患者の患者ＩＤ等を含む画像表示命令を生成する。制御部１１は、生成した画像表示命令を画像ビューワ端末３０に通信部１４を介して送信する（ステップＳ２）。
【００６２】
画像ビューワ端末３０の制御部３１は、通信部３４を介してレポート生成管理装置１０から画像表示命令を受信（取得）すると、対象となる検査に対応する乳房画像データをＰＡＣＳ４０から取得する（ステップＳ３）。具体的に、制御部３１は、取得した画像表示命令に含まれる患者ＩＤや検査ＩＤを検索キーとする。制御部３１は、この検索キーを含む乳房画像データ取得要求を生成する。制御部３１は、生成した乳房画像データ取得要求をＰＡＣＳ４０に通信部３４を介して送信する。そして、制御部３１は、ＰＡＣＳ４０から取得要求に応じた乳房画像データを通信部３４を介して受信する。ここで、取得要求に応じた乳房画像データとは、右乳房ＭＬＯ画像、右乳房ＣＣ画像、左乳房ＭＬＯ画像、左乳房ＣＣ画像に対応する４つの乳房画像データオブジェクトである。
【００６３】
制御部３１は、ＰＡＣＳ４０から取得した乳房画像データ（４つの乳房画像データオブジェクト）をレポート生成管理装置１０に通信部３４を介して送信する（ステップＳ４）。
【００６４】
また、制御部３１は、ＰＡＣＳ４０から取得した乳房画像データを表示部３３に表示させる（ステップＳ５）。具体的に、制御部３１は、高精細モニタに、右乳房ＭＬＯ画像、右乳房ＣＣ画像、左乳房ＭＬＯ画像、左乳房ＣＣ画像、それぞれの画像に対応する付帯情報を表示させる。読影医は、高精細モニタに表示された画像を参照し、読影作業を行う。
【００６５】
一方、レポート生成管理装置１０の制御部１１は、通信部１４を介して、画像ビューワ端末３０から乳房画像データを受信すると、この乳房画像データに基づいて、レポート添付画像（レポート添付画像データ）を生成する（ステップＳ６）。具体的に、制御部１１は、読影レポートに添付するサイズに実画像データ（乳房画像データに含まれる実画像データ）を変更するサイズ変更処理等を加え、レポート生成画面１３１への表示に適したレポート添付画像データを生成する。
【００６６】
そして、制御部１１は、レポート添付画像データが添付されたレポート生成画面１３１を表示部１３に表示させる（ステップＳ７）。レポート生成画面１３１については後述する。
【００６７】
ユーザは、レポート生成画面１３１において、読影レポートの作成を行う。制御部１１は、ユーザ操作による操作部１２からの操作信号等に基づいて、読影レポートデータオブジェクトを生成する（ステップＳ８）。
【００６８】
そして、制御部１１は、生成した読影レポートオブジェクトを記憶部１５のレポートＤＢ１５１に記憶させる（保存する）（ステップＳ９）。以上で処理が終了する。
【００６９】
[レポート生成画面]
図９にレポート生成画面１３１の画面例を示す。図９に示すように、レポート生成画面１３１は、総合判定表示領域Ｔ１、右乳房部分判定設定領域Ｔ２、左乳房部分判定設定領域Ｔ３、右乳房レポート記述領域Ｔ４、左乳房レポート記述領域Ｔ５等から構成される。また、右乳房レポート記述領域Ｔ４は、レポート添付画像ｄ１、ｄ２を含む。左乳房レポート記述領域Ｔ５は、レポート添付画像ｄ３、ｄ４を含む。
【００７０】
レポート添付画像ｄ１は、右乳房ＭＬＯ画像である。レポート添付画像ｄ２は、右乳房ＣＣ画像である。レポート添付画像ｄ３は、左乳房ＭＬＯ画像である。レポート添付画像ｄ４は、左乳房ＣＣ画像である。
【００７１】
右乳房レポート記述領域Ｔ４は、右乳房レポートを記述するための領域である。ユーザは、操作部１２を介して、この右乳房レポート記述領域Ｔ４に部分レポートを記述する。具体的に、ユーザは、操作部１２のキーボードに対して、テキスト形式での記述の操作を行う。操作部１２は、テキスト入力の操作信号を制御部１１に入力する。制御部１１は、このテキスト入力の操作信号に基づいて、テキスト形式（テキスト表示）で右乳房レポート記述領域Ｔ４に読影レポート（右乳房の部分レポート）の情報を表示する。
【００７２】
右乳房部分判定設定領域Ｔ２は、右乳房レポートの部分判定を行うための領域である。ユーザは、操作部１２を介して、右乳房部分判定設定領域Ｔ２にあるカテゴリ１〜５等のボタンを選択し、右乳房レポートの部分判定を行う。ここで、異常所見がない場合、カテゴリ１が選択される。明らかに良性と診断できる所見がある場合、カテゴリ２が選択される。良性であるが、悪性を否定できない所見がある場合、カテゴリ３が選択される。悪性が疑われる所見がある場合、カテゴリ４が選択される。悪性の所見がある場合、カテゴリ５が選択される。即ち、カテゴリ１からカテゴリ５になるに連れて、悪い診断結果となる。
【００７３】
左乳房レポート記述領域Ｔ５は、左乳房レポートを記述するための領域である。ユーザは、操作部１２を介して、この左乳房レポート記述領域Ｔ５に部分レポートを記述する。具体的に、ユーザは、操作部１２のキーボードに対して、テキスト形式での記述の操作を行う。操作部１２は、テキスト入力の操作信号を制御部１１に出力する。制御部１１は、このテキスト入力の操作信号に基づいて、テキスト形式（テキスト表示）で左乳房レポート記述領域Ｔ５に読影レポート（左乳房の部分レポート）の情報を表示する。
【００７４】
左乳房部分判定設定領域Ｔ３は、左乳房レポートの部分判定を行うための領域である。ユーザは、操作部１２を介して、左乳房部分判定設定領域Ｔ３にあるカテゴリ１〜５等のボタンを選択し、左乳房レポートの部分判定を行う。
【００７５】
総合判定表示領域Ｔ１は、各部分検査の総合判定を行うための領域である。
【００７６】
このように、レポート生成画面１３１の中央領域に読影対象となるレポート添付画像ｄ１〜ｄ４（乳房画像）が左右対称に並べて配置される。そして、レポート添付画像ｄ１〜ｄ４に隣接する領域（レポート添付画像ｄ１、ｄ２の領域を除いた右乳房レポート記述領域Ｔ４、レポート添付画像ｄ３、ｄ４の領域を除いた左乳房レポート記述領域Ｔ５）のそれぞれが、各乳房画像に対応する読影レポート（部分レポート）を記述するための記述領域となる。
【００７７】
また、レポート生成画面１３１上には、図示しないレポート生成ボタンが表示される。レポート生成ボタンが押下されると、読影レポートデータオブジェクトが生成され、レポートＤＢ１５１に保存される。
【００７８】
このとき、右乳房レポート記述領域Ｔ４において記述された右乳房レポートが、読影レポートデータオブジェクトの右乳房の部分レポートデータオブジェクトの値となる。更に、右乳房部分判定設定領域Ｔ２において設定された部分判定が、右乳房の部分レポートデータオブジェクトの部分判定情報となる。
【００７９】
また、左乳房レポート記述領域Ｔ５において記述された左乳房レポートが、読影レポートデータオブジェクトの左乳房の部分レポートデータオブジェクトの値となる。更に、左乳房部分判定設定領域Ｔ３において設定された部分判定が、左乳房の部分レポートデータオブジェクトの部分判定情報となる。
【００８０】
また、総合判定表示領域Ｔ１において設定された総合判定が、読影レポートデータオブジェクトの総合レポートデータオブジェクトの値となる。
【００８１】
[変形例]
次に、本発明の読影レポート作成支援装置を図１のレポート生成管理装置１０に適用した場合の実施形態の変形例について、図１０を参照して説明する。本説明では、上述した実施形態と異なる点を中心に説明する。
【００８２】
上述した実施形態では、レポート生成画面１３１の画面中央の領域（中央領域）にレポート添付画像が表示されるとした。しかし、本変形例では、レポート生成画面１３１の画面中央の領域にシェーマ画像が表示される。
【００８３】
また、上述した実施形態では、レポート生成画面１３１の右乳房レポート記述領域Ｔ４、左乳房レポート記述領域Ｔ５にテキスト入力で部分レポートを記述した。しかし、本変形例では、テキスト入力に代わりに、手書き入力で部分レポートを記述する。
【００８４】
[レポート生成管理装置の機能的構成]
レポート生成管理装置の操作部１２は、手書き入力を行うためのペンタブレットを備えており、専用の入力ペンにより、液晶パネル及びセンサ基板により構成されるタブレット本体に手書き入力された文字や図等の軌跡を検出し、検出信号を制御部１１に出力する。
【００８５】
記憶部１５は、乳房のシェーマ画像のテンプレート（以下、単にシェーマ画像と称す）を記憶している。具体的に、記憶部１５は、右乳房ＭＬＯ画像のシェーマ画像、右乳房ＣＣ画像のシェーマ画像、左乳房ＭＬＯ画像のシェーマ画像、左乳房ＣＣ画像のシェーマ画像を記憶している。
【００８６】
[レポート生成管理装置等の具体的な動作]
次に、レポート生成管理装置１０や画像ビューワ端末３０が行う具体的な動作について、説明する。本変形例では、図８のステップＳ６、Ｓ７の処理が上述した実施形態と異なる。
【００８７】
図８のステップＳ６において、レポート生成管理装置１０の制御部１１は、通信部１４を介して、画像ビューワ端末３０から乳房画像データを受信すると、記憶部１５からシェーマ画像を読み出す。具体的に、制御部１１は、記憶部１５から右乳房ＭＬＯ画像のシェーマ画像、右乳房ＣＣ画像のシェーマ画像、左乳房ＭＬＯ画像のシェーマ画像、左乳房ＣＣ画像のシェーマ画像を読み出す。
【００８８】
ステップＳ７において、制御部１１は、受信した乳房画像データの付帯情報等に基づき、読み出したシェーマ画像を貼り付けたレポート生成画面１３１に表示させる。
【００８９】
[レポート生成画面]
図１０にレポート生成画面１３１の画面例を示す。図１０に示すように、レポート生成画面１３１は、総合判定表示領域Ｔ１、右乳房部分判定設定領域Ｔ２、左乳房部分判定設定領域Ｔ３、右乳房レポート記述領域Ｔ４、左乳房レポート記述領域Ｔ５等から構成される。また、右乳房レポート記述領域Ｔ４は、シェーマ画像ｄ１１、ｄ１２を含む。左乳房レポート記述領域Ｔ５は、シェーマ画像ｄ１３、ｄ１４を含む。
【００９０】
シェーマ画像ｄ１１は、右乳房ＭＬＯ画像のシェーマ画像である。シェーマ画像ｄ１２は、右乳房ＣＣ画像のシェーマ画像である。シェーマ画像ｄ１３は、左乳房ＭＬＯ画像のシェーマ画像である。シェーマ画像ｄ１４は、左乳房ＣＣ画像のシェーマ画像である。
【００９１】
右乳房レポート記述領域Ｔ４は、右乳房レポートを記述するための領域である。ユーザは、操作部１２を介して、この右乳房レポート記述領域Ｔ４に部分レポートを記述する。具体的に、ユーザは、操作部１２のペンタブレットに対して、手書き形式での記述の操作を行う。操作部１２は、手書き入力の操作信号を制御部１１に入力する。制御部１１は、この手書き入力の操作信号に基づいて、手書き形式(手書き表示)で右乳房レポート記述領域Ｔ４に読影レポート（右乳房の部分レポート）の情報を表示する。
【００９２】
右乳房部分判定設定領域Ｔ２は、右乳房レポートの部分判定を行うための領域である。ユーザは、操作部１２を介して、右乳房部分判定設定領域Ｔ２にあるカテゴリ１〜５等のボタンを選択し、右乳房レポートの部分判定を行う。
【００９３】
左乳房レポート記述領域Ｔ５は、左乳房レポートを記述するための領域である。ユーザは、操作部１２を介して、この左乳房レポート記述領域Ｔ５に部分レポートを記述する。具体的に、ユーザは、操作部１２のペンタブレットに対して、手書き形式での記述の操作を行う。操作部１２は、手書き入力の操作信号を制御部１１に入力する。制御部１１は、この手書き入力の操作信号に基づいて、手書き形式（手書き表示）で左乳房レポート記述領域Ｔ５に読影レポート（左乳房の部分レポート）の情報を表示する。
【００９４】
左乳房部分判定設定領域Ｔ３は、左乳房レポートの部分判定を行うための領域である。ユーザは、操作部１２を介して、左乳房部分判定設定領域Ｔ３にあるカテゴリ１〜５等のボタンを選択し、左乳房レポートの部分判定を行う。
【００９５】
総合判定表示領域Ｔ１は、各部分検査を総合判定を行うための領域である。
【００９６】
以上、本実施形態によれば、レポート生成管理装置１０の制御部１１によって表示部１３に表示されるレポート生成画面（読影レポート作成画面）１３１において、この画面の中央領域に読影対象となる左右の乳房画像（レポート添付画像ｄ１〜ｄ４）が左右対称に並べて配置される。また、レポート添付画像ｄ１〜ｄ４に隣接する領域（レポート添付画像ｄ１、ｄ２の領域を除いた右乳房レポート記述領域Ｔ４、レポート添付画像ｄ３、ｄ４の領域を除いた左乳房レポート記述領域Ｔ５）のそれぞれが、各乳房画像に対応する読影レポート（部分レポート）を記述するための記述領域となる。
【００９７】
そのため、ユーザは、レポート生成画面１３１において、乳房画像における病変の位置と、その病変に対する所見（読影レポート）とを対応させて表示させることができる。よって、乳房画像の読影レポートをユーザにとって見易くすることができる。
【００９８】
尚、本実施形態における記述は、本発明に係る読影レポート作成支援装置の一例であり、これに限定されるものではない。システム及び各装置の細部構成及び細部動作に関しても適宜変更可能である。
【００９９】
例えば、本実施形態において、画像ビューワ端末３０とＰＡＣＳ４０とは別の装置であるが、これらを統合して一つの装置としてもよい。また、本実施形態において、レポート生成管理装置１０と画像ビューワ端末３０とは別の装置であるが、これらを統合して一つの装置としてもよい。
【０１００】
また、レポート生成画面１３１の画面中央の領域（中央領域）にレポート添付画像が表示され、レポート生成画面１３１の右乳房レポート記述領域Ｔ４、左乳房レポート記述領域Ｔ５に手書き入力で部分レポートを記述する構成としてもよい。また、レポート生成画面１３１の画面中央の領域（中央領域）にシェーマ画像が表示され、レポート生成画面１３１の右乳房レポート記述領域Ｔ４、左乳房レポート記述領域Ｔ５にテキスト入力で部分レポートを記述する構成としてもよい。
【０１０１】
また、本実施形態では、プログラムを格納したコンピュータ読み取り可能な媒体としてハードディスクを使用した例を開示したが、この例に限定されない。その他のコンピュータ読み取り可能な媒体として、ＣＤ−ＲＯＭ等の可搬型記憶媒体、フラッシュメモリ等の不揮発性メモリ等を適用することが可能である。また、プログラムのデータを通信回線を介して提供する媒体として、キャリアウェーブ（搬送波）も適用可能である。
【産業上の利用可能性】
【０１０２】
医療の分野において利用することが可能であり、放射線科システムにおける読影レポート作成支援装置に適用することができる。
【符号の説明】
【０１０３】
１０      レポート生成管理装置
１１      制御部
１２      操作部
１３      表示部
１４      通信部
１５      記憶部
１６      バス
２０      モダリティ
３０      画像ビューワ端末
３１      制御部
３２      操作部
３３      表示部
３４      通信部
３５      記憶部
３６      バス
４０      ＰＡＣＳ
１００    放射線科システム
１５１    レポートＤＢ
Ｎ        通信ネットワーク
Ｔ１      総合判定表示領域
Ｔ２      右乳房部分判定設定領域
Ｔ３      左乳房部分判定設定領域
Ｔ４      右乳房レポート記述領域
Ｔ５      左乳房レポート記述領域
【図１】
2010110017.tif 000003
【図２】
2010110017.tif 000004
【図３】
2010110017.tif 000005
【図４】
2010110017.tif 000006
【図５】
2010110017.tif 000007
【図６】
2010110017.tif 000008
【図７】
2010110017.tif 000009
【図８】
2010110017.tif 000010
【図９】
2010110017.tif 000011
【図１０】
2010110017.tif 000012
【国際調査報告】
2010110017.tif 000013
2010110017.tif 000014
2010110017.tif 000015
2010110017.tif 000016